(57)【特許請求の範囲】
【請求項１】
環境試験装置に貼り付けて使用する操作説明シートであって、
シート表面と、前記シート表面と反対側の裏面と、を有すると共に、前記裏面側が発泡吸着素材によって構成されているシート本体を含み、
前記シート表面には、前記環境試験装置の操作方法に関する情報が印刷されたリファレンス部と、前記環境試験装置に関する連絡情報を書き込み可能なスペースを含むボード部と、が設けられており、
前記リファレンス部は、前記環境試験装置の操作方法に関する情報が印刷されたシール部材であって、前記シート表面のうち一部の領域に貼り付けられた前記シール部材によって構成されている、操作説明シート。
【請求項２】
使用される環境試験装置内の様子を観測するための窓部を遮蔽するように構成されている、請求項１に記載の操作説明シート。
【請求項３】
前記窓部の形状に合った形状に設定されている、請求項２に記載の操作説明シート。
【請求項４】
装置を操作するための操作部を備えた環境試験装置に使用され、
前記リファレンス部には、前記操作部における操作画像が表示されている、請求項１〜３の何れか１項に記載の操作説明シート。
【請求項５】
装置状態に応じて点灯状態が変更される表示部を備えた環境試験装置に使用され、
前記リファレンス部には、前記装置状態と前記点灯状態との対応関係に関する説明が表示されている、請求項１〜４の何れか１項に記載の操作説明シート。
【請求項６】
前記ボード部は、磁石が吸着可能に構成されている、請求項１〜５の何れか１項に記載の操作説明シート。
【請求項７】
前記シート本体に設けられた摘み部を有する、請求項１〜６の何れか１項に記載の操作説明シート。
【請求項８】
被試験体を収容する装置本体と、
前記装置本体内を観測するための窓部と、
前記窓部を遮蔽するように貼り付け可能な請求項１〜７の何れか１項に記載の操作説明シートと、を備えた、環境試験装置。
【発明の詳細な説明】
【技術分野】
【０００１】
本発明は、操作説明シート及び環境試験装置に関する。
【背景技術】
【０００２】
従来、操作マニュアルやスケジュール表などの様々な情報が表面に印刷され、被着体に貼り付け可能なシートが知られている。例えば、下記特許文献１には、ラベル層と支持体層との積層体からなり、ラベル層側に操作マニュアルなどが印刷されたシートが開示されている。このシートは、使用時に支持体層が剥がされ、静電吸着によってラベル層が被着体に貼り付けられる静電吸着シートである。また下記特許文献２には、ホワイトボード代用シートとして使用可能な粘着シートが開示されている。
【先行技術文献】
【特許文献】
【０００３】
【特許文献１】特開２０１４−４４４１３号公報
【特許文献２】特開平１１−１４８０５２号公報
【発明の概要】
【発明が解決しようとする課題】
【０００４】
上記特許文献１，２に開示されたシートは、操作マニュアルが印刷されたシートであるか、又はホワイトボードとして使用されるシートのどちらかである。このため、上記特許文献１，２に開示されたシートは、環境試験装置用としてこのまま使用することができない。すなわち、環境試験装置においては種々の操作が必要である一方で、試験実施者が装置から離れた場所にいることが多いため、装置の近くにいる者が操作方法が分からず、試験実施者と連絡を取り合う必要がある場合がある。このため、上記特許文献１，２に開示されたシートを環境試験装置用としてそのまま使用することができない。
【０００５】
本発明は、上記課題に鑑みてなされたものであり、その目的は、環境試験装置に好適に用いることができる操作説明シート及びこれが貼り付けられた環境試験装置を提供することである。
【課題を解決するための手段】
【０００６】
本発明の一局面に係る操作説明シートは、環境試験装置に貼り付けて使用する操作説明シートである。前記操作説明シートは、シート表面と、前記シート表面と反対側の裏面と、を有すると共に、前記裏面側が発泡吸着素材によって構成されているシート本体を含む。前記シート表面には、前記環境試験装置の操作方法に関する情報が印刷されたリファレンス部と、前記環境試験装置に関する連絡情報を書き込み可能なスペースを含むボード部と、が設けられている。前記リファレンス部は、前記環境試験装置の操作方法に関する情報が印刷されたシール部材であって、前記シート表面のうち一部の領域に貼り付けられた前記シール部材によって構成されている。
【０００７】
上記操作説明シートでは、環境試験装置の操作表示機能を有するリファレンス部、及び環境試験装置に関する連絡情報（試験実施者の情報など）が書き込まれる連絡機能を有するボード部の両方がシート表面に設けられている。そのため、試験実施者が装置から離れた場所にいる場合にボード部に書き込まれる連絡情報に基づいて試験実施者と装置の近くにいる者とが連絡を取り合うことが可能であり、近くにいる者はリファレンス部を参照しながら試験実施者との連絡に基づいて環境試験装置を容易に操作することができる。また上記構成によれば、リファレンス部に表示される情報をより鮮明に見易くすることができる。
【０００８】
上記操作説明シートは、使用される環境試験装置内の様子を観測するための窓部を遮蔽するように構成されていてもよい。
【０００９】
上記構成によれば、上記操作説明シートを用いて窓部を遮蔽することにより、環境試験装置内の被試験体の情報を隠すことができる。
【００１０】
上記操作説明シートは、前記窓部の形状に合った形状に設定されていてもよい。
【００１１】
上記構成によれば、上記操作説明シートにより容易に窓部を遮蔽することが可能となり、環境試験装置内の被試験体の情報をより確実に隠すことができる。
【００１２】
上記操作説明シートは、装置を操作するための操作部を備えた環境試験装置に使用されてもよい。前記リファレンス部には、前記操作部における操作画像が表示されていてもよい。
【００１３】
上記構成によれば、操作画像によって環境試験装置の操作方法をより直感的に理解することが可能となり、その結果環境試験装置をより容易に操作することができる。
【００１４】
上記操作説明シートは、装置状態に応じて点灯状態が変更される表示部を備えた環境試験装置に使用されてもよい。前記リファレンス部には、前記装置状態と前記点灯状態との対応関係に関する説明が表示されていてもよい。
【００１５】
上記構成によれば、表示部における点灯状態とリファレンス部の表示説明とを参照することにより、環境試験装置の装置状態を容易に把握することができる。
【００１６】
上記操作説明シートにおいて、前記ボード部は、磁石が吸着可能に構成されていてもよい。
【００１７】
上記構成によれば、環境試験装置に関する連絡情報が記載された紙媒体などを磁石によりボード部に固定することができる。これにより、連絡情報をボード部に直接書き込まない場合でも、装置から離れた場所にいる試験実施者と装置の近くにいる者との間で連絡を取り合うことができる。
【００２０】
上記操作説明シートは、前記シート本体に設けられた摘み部を有していてもよい。
【００２１】
上記構成によれば、環境試験装置に貼り付けられた操作説明シートを摘み部から容易に剥がし取ることができる。
【００２２】
本発明の他局面に係る環境試験装置は、被試験体を収容する装置本体と、前記装置本体内を観測するための窓部と、前記窓部を遮蔽するように貼り付け可能な上記操作説明シートと、を備える。
【００２３】
上記環境試験装置によれば、上記操作説明シートを備えることにより、試験実施者が装置から離れた場所にいる場合にボード部に書き込まれる連絡情報に基づいて試験実施者と装置の近くにいる者とが連絡を取り合うことが可能であり、近くにいる者はリファレンス部を参照しながら試験実施者との連絡に基づいて環境試験装置を容易に操作することができる。また窓部を遮蔽するように上記操作説明シートを貼り付けることで、環境試験装置内の情報を隠すことができる。
【発明の効果】
【００２４】
本発明によれば、環境試験装置に好適に用いることができる操作説明シート及びこれが貼り付けられた環境試験装置を提供することができる。
【図面の簡単な説明】
【００２５】
【図１】本発明の実施形態１に係る試験装置の全体構成を示す概略図である。
【図２】上記試験装置において操作説明シートにより窓部が塞がれた状態を示す概略図である。
【図３】本発明の実施形態１に係る操作説明シートの全体構成を示す概略図である。
【図４】上記操作説明シートの第１の使用態様を説明するための概略図である。
【図５】上記操作説明シートの第２の使用態様を説明するための概略図である。
【図６】上記操作説明シートの第２の使用態様を説明するための概略図である。
【図７】本発明の実施形態２に係る操作説明シートの全体構成を示す概略図である。
【図８】上記操作説明シートにより窓部が塞がれた試験装置を示す概略図である。
【発明を実施するための形態】
【００２６】
以下、図面に基づいて、本発明の実施形態につき詳細に説明する。
【００２７】
［実施形態１］
＜環境試験装置の構成＞
まず、本発明の実施形態１に係る環境試験装置２の構成について、図１及び図２を参照して説明する。図１及び図２は、環境試験装置２の全体構成を示している。
【００２８】
環境試験装置２は、温度湿度が制御された環境下での各種信頼性試験に使用される。環境試験装置２は、装置本体３と、扉４と、操作部５と、窓部６と、窓枠６Ａと、表示部７と、操作説明シート１と、を有する。環境試験装置２は、温度湿度が一定に維持された状態で試験を行う定値運転、及び温度湿度が複数ステップに分けて段階的に制御されるプログラム運転を実行可能となっている。なお、環境試験装置２は恒温恒湿槽に限定されず、恒温槽であってもよい。
【００２９】
装置本体３は、ステンレス板により断熱材が挟み込まれた構造の断熱パネルによって構成され、被試験体を収容するための内部空間（試験空間）を有する。装置本体３は空調部（図示しない）を有し、これにより内部空間における温度湿度環境を制御することができる。
【００３０】
扉４は、装置本体３と同様に断熱パネルによって構成され、装置本体３の内部空間を開閉できるように装置本体３に対して回動自在に取り付けられている。扉４は、図１及び図２における左側端部を回動軸として装置本体３に軸支されており、右側端部の方から開閉自在となっている。扉４には、開閉時にユーザが手で掴むためのハンドル４Ａが設けられている。扉４を閉じたときにハンドル４Ａの押し込みが不十分である場合には、環境試験装置２は扉開放警告を発生させる。
【００３１】
操作部５は、環境試験装置２を操作するための部分であり、図１及び図２において扉４の右側部分に設けられている。操作部５は、タッチパネルによって構成されている。ユーザは、操作部５において環境試験装置２の運転開始や停止操作を行い、また各運転条件（定値運転及びプログラム運転の条件）を入力することができる。
【００３２】
窓部６は、装置本体３内を観測するための部分であり、図１及び図２において扉４の略中央部分に設けられている。窓部６は、環境試験装置２の高さ方向において長手方向を有する長方形状を有し、透明なガラス材料によって構成されている。ユーザは、窓部６から内部空間内の状態を目視により確認することができる。窓枠６Ａは、窓部６の外周を取り囲む部分であり、窓部６よりも装置の手前側に突出している（出っ張っている）。
【００３３】
表示部７は、環境試験装置２の装置状態に応じて点灯状態が変更する部分であり、図１及び図２において操作部５の上側部分に設けられている。表示部７は、環境試験装置２の装置状態に応じて異なる色に点灯する。具体的には、表示部７は、環境試験装置２が運転中である場合には緑色に点灯し、異常発生中である場合には赤色に点滅する。
【００３４】
操作説明シート１は、環境試験装置２の操作方法を簡易的に説明するためのクイックリファレンスである。操作説明シート１は、図１及び図２に示すように、環境試験装置２の表面に貼り付けて使用される。具体的には、操作説明シート１は、図１に示すように扉４の表面に貼り付け可能であるとともに、図２に示すように窓部６を塞いで遮蔽するように貼り付け可能となっている。操作説明シート１の詳細な構成については後述する。
【００３５】
＜操作説明シートの構成＞
次に、上記操作説明シート１の詳細な構成について、図３を主に参照して説明する。図３は、上記操作説明シート１の全体構成を示している。
【００３６】
操作説明シート１は、シート表面１Ａを有し、当該シート表面１Ａの平面視において略長方形状を有するシート本体５０を含む。シート本体５０は、長方形状の長手方向に対向する一対の辺１Ｂ，１Ｃと、短手方向に対向する一対の辺１Ｄ，１Ｅと、を有する。
【００３７】
シート本体５０は、シート表面１Ａと反対側の裏面を有し、当該裏面側が発泡吸着素材によって構成されている。このため、操作説明シート１は、裏面側から扉４のステンレス部分に対して吸着により貼り付け可能であるとともに（図１）、ガラス製の窓部６に対しても同様に貼り付け可能となっている（図２）。
【００３８】
操作説明シート１は、環境試験装置２の窓部６全体を遮蔽するように構成されている。具体的には、操作説明シート１は、窓部６よりも一回り大きく、かつ窓部６の形状に合った形状に設計されているため、図２に示すように窓部６全体を塞ぐことができる。なお、操作説明シート１は、本実施形態のように窓部６全体を塞ぐものに限定されず、窓部６を部分的に塞ぐことにより当該窓部６を遮蔽するものでもよい。例えば、操作説明シート１は、窓部６よりも一回り小さいものでもよい。
【００３９】
シート表面１Ａには、環境試験装置２の操作方法に関する情報が印刷されたリファレンス部１０と、環境試験装置２に関する連絡情報を書き込み可能なスペース２０Ａを含むボード部２０と、が設けられている。
【００４０】
リファレンス部１０は、環境試験装置２の操作方法に関する情報が表面に印刷された略長方形状のシール部材によって構成されている。このシール部材は、シート表面１Ａの長手方向における略半分の領域（辺１Ｂ側の略半分の領域）を占めるように当該シート表面１Ａに貼り付けられている。
【００４１】
リファレンス部１０は、環境試験装置２の装置状態を知るための情報が印刷された第１のリファレンス部１１と、環境試験装置２の運転開始及び停止操作に関する情報が印刷された第２のリファレンス部１２と、環境試験装置２の運転開始前の確認事項に関する情報が印刷された第３のリファレンス部１３と、環境試験装置２の定値運転の設定方法に関する情報が印刷された第４のリファレンス部１４と、環境試験装置２のその他機能に関する情報が印刷された第５のリファレンス部１５と、環境試験装置２の操作部５に表示される画面の名称を知る方法及び画面を移動する方法に関する情報が印刷された第６のリファレンス部１６と、環境試験装置２の計装の状態を知るための情報が印刷された第７のリファレンス部１７と、を含む。またリファレンス部１０には、操作部５における環境試験装置２の運転状態（動作状態、温度、湿度など）を示す表示画面１８が印刷されている。
【００４２】
第１のリファレンス部１１は、辺１Ｅ，１Ｄ間の略中央部に設けられている。第１のリファレンス部１１には、環境試験装置２の装置状態と表示部７の点灯状態との対応関係に関する説明が印刷されている。第１のリファレンス部１１は、環境試験装置２の装置状態の名称が印刷された第１の部分１１Ａと、各装置状態に対応する表示部７の点灯状態の情報が印刷された第２の部分１１Ｂと、を含む。環境試験装置２の装置状態には、運転中、停止中、一時停止中、警告発生及び異常発生などが含まれ、環境試験装置２がこれらの装置状態にあるときの表示部７の点灯状態（点灯色や点灯の態様など）の情報が第１のリファレンス部１１に印刷されている。具体的には、環境試験装置２の運転中に対応して表示部７が緑色に常灯することや、異常発生中に対応して表示部７が赤色に点滅することなどが印刷されている。これにより、ユーザは、表示部７の点灯色や点灯の態様を確認するとともに第１のリファレンス部１１の表示説明を参照することで、環境試験装置２の装置状態を把握することができる。
【００４３】
第２のリファレンス部１２は、第１のリファレンス部１１よりも辺１Ｃ側に設けられている。第２のリファレンス部１２には、環境試験装置２の定値運転及びプログラム運転を開始・終了する操作方法の説明が印刷されている。第２のリファレンス部１２は、定値運転及びプログラム運転を開始・終了するときに操作部５（図１）に表示される操作画像１２Ａ（運転操作画面）と、当該操作画像１２Ａを説明するための文字説明１２Ｂと、を含む。文字説明１２Ｂは、操作部５の画面を運転操作画面に切り替えるためにユーザがタッチする操作部分（「運転状態表示部」）の名称を含む。
【００４４】
第３のリファレンス部１３は、辺１Ｄ側の領域に設けられている。第３のリファレンス部１３には、環境試験装置２の運転開始前に確認すべき事項に関する情報が印刷されている。具体的には、湿度運転の開始前に装置にウイックを取り付けること及びその取り付け方法、扉４をハンドル４Ａが浮かないように押し込んで確実に閉めること、湿度運転の開始前に給水タンクに給水すること、凝縮器用フィルター（ホコリで目詰まりしていないもの）を装備すること、などが印刷されている。第３のリファレンス部１３は、装置図や取扱い方法が図示された図部分１３Ａと、当該図部分１３Ａと併せて上記確認事項について説明する文字説明１３Ｂと、を含む。
【００４５】
第４のリファレンス部１４は、第３のリファレンス部１３よりも辺１Ｃ側に設けられている。第４のリファレンス部１４には、環境試験装置２における定値運転設定の操作方法が印刷されている。第４のリファレンス部１４は、定値運転の設定入力時に操作部５に表示される操作画像１４Ａ（定値運転設定画面）と、当該操作画像１４Ａを説明するための文字説明１４Ｂと、を含み、これらによって定値運転設定の操作方法（温度湿度条件の設定入力、湿度運転のオン／オフ切替）が説明されている。文字説明１４Ｂは、操作部５の画面を定値運転設定画面に切り替えるためにユーザがタッチする操作部分（「定値設定」）の名称を含む。
【００４６】
第５のリファレンス部１５は、第２のリファレンス部１２よりも辺１Ｃ側に設けられている。第５のリファレンス部１５には、例えば言語切替、スクリーン消灯、スケジュールメモ、タイマー設定、クイックアクセスなど、環境試験装置２のその他の便利な機能に関して、操作部５に表示されるアイコン１５Ａが印刷されている。
【００４７】
第６のリファレンス部１６は、第５のリファレンス部１５よりも辺１Ｃ側に設けられている。第６のリファレンス部１６は、操作部５の画面移動を行う際にユーザがタッチする操作画像１６Ａと、当該操作画像１６Ａを説明するための文字説明１６Ｂと、を含む。
【００４８】
第７のリファレンス部１７は、第６のリファレンス部１６よりも辺１Ｃ側に設けられている。第７のリファレンス部１７は、環境試験装置２の計装状態の名称が印刷された第１の部分１７Ａと、各計装状態に対応する計装パネルの電源スイッチの点灯状態（点灯色や点灯の態様）の情報が印刷された第２の部分１７Ｂと、を含む。環境試験装置２の計装状態には、非通電状態、計装パネルオフ状態、電源オン状態、スクリーンオフ状態などが含まれ、各計装状態に対応する電源スイッチの点灯状態に関する情報が第７のリファレンス部１７に印刷されている。
【００４９】
ボード部２０は、リファレンス部１０と隣り合い、かつシート表面１Ａにおいて長手方向における略半分の領域（辺１Ｃ側の略半分の領域）を占めている。ボード部２０は、ホワイトボードによって構成され、マーカーなどにより環境試験装置２に関する連絡情報をスペース２０Ａに書き込むことができる。具体的には、試験実施者の名前及びその連絡先、環境試験装置２の番号、試験のスケジュール表、作業者宛てのメモなどを、環境試験装置２に関する連絡情報としてスペース２０Ａに書き込むことができる。
【００５０】
ボード部２０において、シート表面１Ａの下層には鉄粉シート（図示しない）が配置されている。このため、ボード部２０は、図１に示すように磁石４０を吸着可能となっている。これにより、環境試験装置２に関する連絡情報がスペース２０Ａに直接書き込まれない場合でも、当該連絡情報が記載された紙媒体４１等を磁石４０により貼り付けてボード部２０に固定することができる。そのため、スペース２０Ａに連絡情報が直接書き込まれる場合と同様にボード部２０による連絡のやり取りが可能になる。
【００５１】
シート本体５０の第１角部５０Ａ（図３中の右上角部）には、摘み辺５１（摘み部）が設けられている。摘み辺５１は、略長方形状のシート本体５０の第１角部５０Ａを直線状に切り落とすことにより形成されている（図３中破線）。摘み辺５１は、その一方端が辺１Ｂに繋がるとともに他方端が辺１Ｄに繋がり、辺１Ｂ，１Ｄの各々に対して略同じ大きさの鈍角を成している。摘み辺５１を設けることにより、環境試験装置２に貼り付けられた操作説明シート１をユーザが容易に剥がし取ることができる。またリファレンス部１０を構成するシール部材の角部には、図３に示すように摘み辺５１よりも短くかつ摘み辺５１に沿ったシール辺１９が設けられている。
【００５２】
摘み辺５１は、第１角部５０Ａに設けられる場合に限定されず、第２角部５０Ｂ（辺１Ｂと辺１Ｅとが交わる部分）に設けられてもよいし、第３角部５０Ｃ（辺１Ｃと辺１Ｅとが交わる部分）に設けられてもよいし、第４角部５０Ｄ（辺１Ｃと辺１Ｄとが交わる部分）に設けられてもよい。また摘み辺５１は、シート本体５０の少なくとも一つの角部に設けられていればよく、第１〜第４角部５０Ａ〜５０Ｄのうち複数箇所に設けられてもよい。
【００５３】
摘み辺５１は、辺１Ｂ，１Ｄに対して略同じ角度を成すように斜めに設けられる場合に限定されず、辺１Ｂ，１Ｄに対して異なる角度を成すように斜めに設けられてもよい。また操作説明シート１は、窓部６に貼り付けられた状態で（図２）、辺１Ｂ〜１Ｅ及び摘み辺５１が窓枠６Ａの内側に収まり、また摘み辺５１を設けることでシート面積が縮小されてもなお窓部６の全体を遮蔽するように設計されている。しかし、操作説明シート１は、窓部６より大きく設計されてもよく、窓部６より小さく設計されてもよい。
【００５４】
＜操作説明シートの使用態様＞
次に、上記操作説明シート１の使用の態様について、図４〜図６を参照して説明する。
【００５５】
（第１の使用態様）
まず、上記操作説明シート１の第１の使用態様について、図４を参照して説明する。この使用態様は、試験実施者１００が環境試験装置２から離れた場所にいる場合において、環境試験装置２の近くにいる作業者１０１と連絡を取り合って環境試験装置２の設定確認や設定操作を依頼するという場面である。
【００５６】
試験実施者１００は、作業者１０１と連絡を取り、環境試験装置２の番号を伝えるとともに、当該環境試験装置２の設定確認や操作などを依頼する。作業者１０１は、環境試験装置２に貼り付けられた操作説明シート１のボード部２０において試験実施者１００より伝えられた環境試験装置２の番号及び試験実施者１００の名前が書き込まれていること（又は紙媒体４１等に記載されていること）を確認する。そして、作業者１０１は、操作説明シート１のリファレンス部１０を参照して環境試験装置２の操作方法を確認し、操作部５において試験実施者１００より依頼された設定確認や設定操作を行う。
【００５７】
（第２の使用態様）
次に、上記操作説明シート１の第２の使用態様について、図５及び図６を参照して説明する。この使用態様は、環境試験装置２の近くにいる作業者１０１が環境試験装置２の異常発生を認識した場合に、環境試験装置２から離れた場所にいる試験実施者１００と連絡を取り合って環境試験装置２の運転を停止させるという場面である。
【００５８】
まず、作業者１０１は、表示部７が赤色に点灯していることを目視確認する（図５）。次に、作業者１０１は、環境試験装置２に貼り付けられた操作説明シート１のリファレンス部１０を参照することにより、赤色の点灯色が環境試験装置２の異常発生に対応することを確認する。これにより、作業者１０１は、環境試験装置２が異常発生中であることを把握する。
【００５９】
次に、作業者１０１は、操作説明シート１のボード部２０に書き込まれた試験実施者１００の名前及びその連絡先、並びに環境試験装置２の番号を確認する。そして、作業者１０１は、試験実施者１００と連絡を取り、環境試験装置２が異常発生中であることを報告する（図６）。試験実施者１００は、作業者１０１に対して、操作説明シート１を参照して異常発生の内容を確認すること、操作説明シート１に記載された連絡先を見て装置メーカーに問い合わせることにより異常発生の内容を確認すること、操作説明シート１を参照して環境試験装置２の運転を停止させることなどを依頼する。そして、作業者１０１は、操作説明シート１のリファレンス部１０を参照し、操作部５において環境試験装置２の運転停止操作を行う。
【００６０】
＜作用効果＞
次に、上記操作説明シート１による作用効果について説明する。
【００６１】
上記操作説明シート１は、シート表面１Ａを有する。当該シート表面１Ａには、環境試験装置２の操作方法に関する情報が表示されたリファレンス部１０と、環境試験装置２に関する連絡情報を書き込み可能なスペース２０Ａを含むボード部２０と、が設けられている。また上記環境試験装置２は、装置本体３と、装置本体３内を観測するための窓部６と、窓部６を遮蔽するように貼り付け可能な上記操作説明シート１と、を備える。
【００６２】
上記操作説明シート１では、環境試験装置２の操作方法が表示されたリファレンス部１０、及び試験実施者１００の情報などの環境試験装置２に関する連絡情報が書き込まれるボード部２０の両方がシート表面１Ａに設けられている。そのため、試験実施者１００が装置から離れた場所にいる場合にボード部２０に書き込まれる連絡情報に基づいて試験実施者１００と装置の近くにいる作業者１０１とが連絡を取り合うことが可能であり、作業者１０１はリファレンス部１０を参照しながら試験実施者１００との連絡に基づいて環境試験装置２を容易に操作することができる。
【００６３】
また上記操作説明シート１では、リファレンス部１０及びボード部２０の両方がシート表面１Ａに設けられるため、環境試験装置２の表面が乱雑化することを防ぐことができる。具体的には、クイックリファレンス、環境試験装置２の番号、試験のスケジュール、運転状況、試験実施者１００の名前や連絡先、その他連絡事項など、種々の情報が記載された紙媒体が別々に環境試験装置２に貼り付けられる場合と異なり、一枚の上記操作説明シート１の貼り付けにより対応することができるため、環境試験装置２の表面を整理することができる。また上記操作説明シート１は、裏面側が発泡吸着素材によって構成されているため、温度湿度の条件が変化する環境試験装置２に貼り付けて使用するのに適している。
【００６４】
上記操作説明シート１は、使用される環境試験装置２内を観測するための窓部６を遮蔽するように構成されている。より具体的には、上記操作説明シート１は、窓部６の形状に合った形状に設計されている。これにより、上記操作説明シート１を用いて窓部６を遮蔽し、環境試験装置２内を隠すことができる。このように、クイックリファレンスである上記操作説明シート１を窓部６の遮蔽部材として兼用することにより、別途段ボールなどを窓部６に貼り付ける必要がなく、環境試験装置２内の情報を試験部外者から守ることができる。また上記操作説明シート１は、窓部６から環境試験装置２の内部への光の侵入を防ぐための遮光部材としても利用することができる。
【００６５】
上記操作説明シート１において、リファレンス部１０には、環境試験装置２の操作部５における操作画像１２Ａ，１４Ａ，１６Ａが表示されている。これにより、環境試験装置２の操作方法をより直感的に理解することが可能になり、試験に不慣れな作業者でも容易に操作することができる。
【００６６】
上記操作説明シート１において、リファレンス部１０（第１のリファレンス部１１）には、環境試験装置２の装置状態と表示部７の点灯状態との対応関係に関する説明が表示されている。これにより、ユーザは、表示部７における点灯状態とリファレンス部１０（第１のリファレンス部１１）の表示説明とを参照することにより、環境試験装置２の装置状態を容易に把握することができる。そして、装置状態に応じて適切な操作を行うことができる。
【００６７】
上記操作説明シート１において、ボード部２０は、磁石４０を吸着可能に構成されている。これにより、環境試験装置２に関する連絡情報が記載された紙媒体４１等を磁石４０によりボード部２０に固定することができる。これにより、ボード部２０に直接書き込まない場合でも当該ボード部２０における連絡のやり取りが可能になる。
【００６８】
上記操作説明シート１において、リファレンス部１０には、印刷により各情報が表示されている。これにより、リファレンス部１０に表示される情報をより鮮明に見易くすることができる。
【００６９】
上記操作説明シート１は、リファレンス部１０及びボード部２０を含むシート本体５０を有している。シート本体５０の第１角部５０Ａには、摘み辺５１（摘み部）が設けられている。これにより、環境試験装置２に貼り付けられた操作説明シート１を当該摘み辺５１から容易に剥がし取ることができる。
【００７０】
［実施形態２］
次に、本発明の実施形態２に係る操作説明シート８の構成について、図７を参照して説明する。図７は、実施形態２に係る操作説明シート８の全体構成を示している。
【００７１】
実施形態２に係る操作説明シート８は、基本的には上記実施形態１の場合と同様の構成を有し、かつ同様の効果を奏する。しかし、実施形態２に係る操作説明シート８は、リファレンス部１０内のレイアウトにおいて上記実施形態１と異なり、かつ環境試験装置２から剥がし取る際にユーザが掴むための摘み部の構成において上記実施形態１と異なっている。
【００７２】
操作説明シート８は、シート表面８Ａを有し、当該シート表面８Ａの平面視において略長方形状を有するシート本体５０を含む。シート表面８Ａには、上記実施形態１と同様に、環境試験装置２の操作方法に関する情報が印刷されたリファレンス部１０と、環境試験装置２に関する連絡情報を書き込み可能なスペース２０Ａを含むボード部２０と、が設けられている。
【００７３】
リファレンス部１０は、シート表面８Ａにおいて長手方向における略半分の領域（辺１Ｂ側の略半分の領域）を占めている。リファレンス部１０は、環境試験装置２における定値運転の設定方法が印刷された第１のリファレンス部６１と、プログラム運転の設定方法が印刷された第２のリファレンス部６２と、環境試験装置２の動作状態を認識するための情報が印刷された第３のリファレンス部６３と、環境試験装置２の運転開始及び停止操作に関する情報が印刷された第４のリファレンス部６４と、環境試験装置２のその他の機能に関する情報が印刷された第５のリファレンス部６５と、を含む。
【００７４】
第１のリファレンス部６１は、シート表面８Ａにおいて辺１Ｅ側の領域に設けられている。第１のリファレンス部６１には、環境試験装置２における定値運転設定の操作フローが印刷されている。この操作フローは、環境試験装置２における定値運転の設定入力時に操作部５（図１）に表示される操作画像６１Ａ（タッチパネル画像）と、当該操作画像６１Ａを説明するための文字説明６１Ｂと、を含む。文字説明６１Ｂは、操作画像６１Ａにおいてユーザがタッチする部分名称などを含む。
【００７５】
第２のリファレンス部６２は、シート表面８Ａにおいて辺１Ｄ，１Ｅ間の中央部分に設けられている。第２のリファレンス部６２には、環境試験装置２におけるプログラム運転設定の操作フローが印刷されている。この操作フローは、環境試験装置２におけるプログラム運転の設定入力時に操作部５に表示される操作画像６２Ａ（タッチパネル画像）と、当該操作画像６２Ａを説明するための文字説明６２Ｂと、を含む。文字説明６２Ｂは、操作画像６２Ａにおいてユーザがタッチする部分名称などを含む。
【００７６】
第３のリファレンス部６３は、シート表面８Ａにおいて辺１Ｄ側の領域に設けられている。第３のリファレンス部６３には、環境試験装置２の装置状態と表示部７の点灯状態との対応関係に関する説明が表示されている。第３のリファレンス部６３は、環境試験装置２の装置状態の名称が印刷された第１の部分６３Ａと、各装置状態に対応する表示部７の点灯状態の情報が印刷された第２の部分６３Ｂと、を含む。環境試験装置２の装置状態には、例えば運転中、一時停止、待機中及び異常発生などが含まれ、環境試験装置２がこれらの装置状態にあるときの表示部７の点灯状態（点灯色など）の情報が第３のリファレンス部６３（第２の部分６３Ｂ）に印刷されている。より具体的には、環境試験装置２の運転中に対応する表示部７の緑色の点灯色や、異常発生中に対応する赤色の点灯色などの情報が印刷されている。これにより、ユーザは、表示部７の点灯色を確認するとともに第３のリファレンス部６３の表示説明を参照することで、環境試験装置２の装置状態を把握することができる。
【００７７】
第４のリファレンス部６４は、第５のリファレンス部６５よりも辺１Ｃ側に設けられている。第４のリファレンス部６４には、操作部５（図２）の画面を環境試験装置２の運転停止操作を行う画面へ切り替える方法が印刷されている。第５のリファレンス部６５は、第３のリファレンス部６３よりも辺１Ｃ側でかつ第４のリファレンス部６４よりも辺１Ｂ側に設けられている。第５のリファレンス部６５には、例えばタイマー設定、スケジュールメモ、クイックアクセスなど、環境試験装置２のその他の機能に関する情報が印刷されている。
【００７８】
操作説明シート８は、リファレンス部１０及びボード部２０を含む略長方形状のシート本体５０と、当該シート本体５０の外周縁部から外側へ突出するように設けられた突出部３０（摘み部）と、を有する。突出部３０は、操作説明シート８を環境試験装置２から剥がし取るときにユーザが摘むための部分である。
【００７９】
突出部３０は、図７に示すように辺１Ｃの一部（辺１Ｄ側の部分）に設けられていてもよいがこれに限定されず、辺１Ｂ，１Ｄ，１Ｅにおいて任意の位置に設けられていてもよい。突出部３０は、ユーザが摘み易くするため、図７に示すように辺１Ｃに沿って一定の長さをもって延びるタブであってもよいが、その形状は特に限定されない。また実施形態２のようなシート本体５０の外周縁部から外側へ突出する突出部３０に代えて、上記実施形態１のようなシート本体５０の角部を切り落とした摘み辺５１（図３）が摘み部として設けられてもよいし、これらの両方が設けられてもよい。
【００８０】
操作説明シート８は、窓部６に貼り付けられたときに（図８）、突出部３０が窓枠６Ａと重なり、かつ各辺１Ｂ，１Ｃ，１Ｄ，１Ｅが窓枠６Ａの内側に収まるように設計されている。換言すると、シート本体５０が窓枠６Ａの内側に収まり、かつ突出部３０が窓枠６Ａと重なるように外側へ延びていてもよい。窓枠６Ａは、窓部６よりも装置の手前側に突出した（出っ張った）部分である。そのため、ユーザは突出部３０を容易に摘むことができ、操作説明シート１を環境試験装置２から容易に剥がし取ることができる。なお、操作説明シート１は、窓部６に貼り付けられたときに、突出部３０も窓枠６Ａの内側に収まるように設計されていてもよい。
【００８１】
このように、実施形態２に係る操作説明シート８では、環境試験装置２に貼り付けられた状態においてユーザが突出部３０を摘んで容易に剥がし取ることができる。なお、実施形態２の操作説明シート８では、環境試験装置２から剥がし取るときに突出部３０が裂けてしまうことも考えられるが、上記実施形態１のように摘み辺５１（図３）を設けた場合にはこれを防止することができる。
【００８２】
＜変形例＞
最後に、上記実施形態１，２に係る操作説明シート１，８の変形例について説明する。
【００８３】
上記操作説明シート１，８は、外面がステンレスによって構成される扉４やガラス製の窓部６に貼り付けられる場合に限定されず、樹脂製の化粧部に貼り付けられてもよい。また環境試験装置２の正面側に限定されず、側面側に貼り付けられてもよい。
【００８４】
上記操作説明シート１，８は、環境試験装置２に対して吸着により貼り付けられる場合に限定されず、テープなどの任意の貼付手段により環境試験装置２に貼り付けられてもよい。しかし、テープの剥がし跡などの汚れを防ぐ観点から、本実施形態のような発泡吸着シートによる貼り付けが好ましい。
【００８５】
上記操作説明シート１，８において、リファレンス部１０には、操作画像（タッチパネル画像）が表示されることが好ましいがこれに限定されず、操作画像が省略され、文字説明のみが表示されてもよい。
【００８６】
上記操作説明シート１，８において、リファレンス部１０には、環境試験装置２の装置状態と表示部７の点灯状態との対応関係を表示する部分（第１リファレンス部１１、第３リファレンス部６３）が設けられることが好ましいがこれに限定されず、当該部分が省略されてもよい。
【００８７】
上記操作説明シート１，８において、ボード部２０は磁石４０が吸着可能でなくてもよい。
【００８８】
上記操作説明シート１，８において、摘み部が複数設けられてもよい。また摘み部が省略されてもよい。
【００８９】
上記操作説明シート１，８において、シート表面１Ａ，８Ａにリファレンス部１０及びボード部２０を設ける位置は特に限定されず、任意のレイアウトを採用することができる。また上記実施形態１，２のようにリファレンス部１０及びボード部２０が一つずつ設けられるレイアウトに限定されず、複数設けられてもよい。
【００９０】
今回開示された実施形態及びその変形例は、全ての点で例示であって、制限的なものではないと解されるべきである。本発明の範囲は、上記した説明ではなくて特許請求の範囲により示され、特許請求の範囲と均等の意味及び範囲内での全ての変更が含まれることが意図される。
【符号の説明】
【００９１】
１，８  操作説明シート、１Ａ，８Ａ  シート表面、２  環境試験装置、３  装置本体、５  操作部、６  窓部、７  表示部、１０  リファレンス部、１２Ａ、１４Ａ，１６Ａ，６１Ａ，６２Ａ  操作画像、２０  ボード部、２０Ａ  スペース、３０  突出部（摘み部）、４０  磁石、５０  シート本体、５１  摘み辺（摘み部）。
【図１】
0006548475.tif 000002
【図２】
0006548475.tif 000003
【図３】
0006548475.tif 000004
【図４】
0006548475.tif 000005
【図５】
0006548475.tif 000006
【図６】
0006548475.tif 000007
【図７】
0006548475.tif 000008
【図８】
0006548475.tif 000009